(57)【要約】【課題】ブレード等の円滑且つ適正動作を確保し、魚に対して優れたアピール効果を発揮する釣り用ルアーを提供する。【解決手段】ルアー１０は、小魚を模した外観形状となるように形成されたルアーボディ１１の後端部に、回転可能に接続されたブレード１６を付設してなる。ブレード１６は前端部にてルアーボディ１１の尾部にメインスイベル１７を介して接続し、ブレード１６の前端部に対してサブスイベル１９を介してリヤフック１５が回転可能に接続する。【選択図】図１
2016021940.tif 000002
【特許請求の範囲】
【請求項１】
小魚を模した外観形態を持つように形成されたルアーボディの後端部に、回転可能に接続されたブレードを付設してなる釣り用ルアーであって、
前記ブレードはその前端部にて前記ルアーボディの尾部にメインスイベルを介して接続し、該ブレードの前端部に対してサブスイベルを介してリヤフックが回転可能に接続することを特徴とする釣り用ルアー。
【請求項２】
前記ルアーボディの尾部に結合する前記メインスイベルにスプリットリングが接続し、このスプリットリングに対して前記ブレード及び前記サブスイベルがそれぞれ接続されることを特徴とする請求項１に記載の釣り用ルアー。
【請求項３】
前記リヤフックはシングルフックであることを特徴とする請求項１又は２に記載の釣り用ルアー。
【請求項４】
前記ルアーボディの腹部側前部付近にスイベルを介してフロントフックが回転可能に接続することを特徴とする請求項１〜３のいずれか１項に記載の釣り用ルアー。
【発明の詳細な説明】
【技術分野】
【０００１】
本発明は釣り用ルアー、特にルアーボディの後端部にブレードを持つルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
この種のルアーにおける対象魚に対するアピール効果は形態ばかりでなく、ルアーボディに付帯させたブレード等による効果もまた重要なポイントになる。例えば、スピンテールはシーバス釣りのルアーの中で基本的なルアーのひとつであり、金属のルアーボディとテール（尾部）に付いたブレードが特徴でフラッシング効果と波動によりシーバスの捕食を促す効果がある。
【０００４】
具体的には例えば特許文献１に記載のルアーでは、ルアー本体の尾部にブレードが直接あるいはワイヤを介して取り付けられるテールスピンジグタイプのルアーが開示される。
【先行技術文献】
【特許文献】
【０００５】
【特許文献１】特開２００７−２２８９５１号公報
【発明の概要】
【発明が解決しようとする課題】
【０００６】
ブレードを持つルアーにおいて、最近ではブレード側に針（フック）のあるものが主流になってきており、針が増えると針同士又はラインとの絡みが生じ易くなる。また、ブレード側に設けた針がブレードの回転動作の邪魔をする等の問題がある。これらはいずれもブレードの適正動作の阻害要因となり、ひいてはかかるルアーを使用した際、釣果にも影響する。
【０００７】
本発明はかかる実情に鑑み、ブレード等の円滑且つ適正動作を確保し、魚に対して優れたアピール効果を発揮する釣り用ルアーを提供することを目的とする。
【課題を解決するための手段】
【０００８】
本発明の釣り用ルアーは、小魚を模した外観形態を持つように形成されたルアーボディの後端部に、回転可能に接続されたブレードを付設してなる釣り用ルアーであって、前記ブレードはその前端部にて前記ルアーボディの尾部にメインスイベルを介して接続し、該ブレードの前端部に対してサブスイベルを介してリヤフックが回転可能に接続することを特徴とする。
【０００９】
また、本発明の釣り用ルアーにおいて、前記ルアーボディの尾部に結合する前記メインスイベルにスプリットリングが接続し、このスプリットリングに対して前記ブレード及び前記サブスイベルがそれぞれ接続されることを特徴とする。
【００１０】
また、本発明の釣り用ルアーにおいて、前記リヤフックはシングルフックであることを特徴とする。
【００１１】
また、本発明の釣り用ルアーにおいて、前記ルアーボディの腹部側前部付近にスイベルを介してフロントフックが回転可能に接続することを特徴とする。
【発明の効果】
【００１２】
本発明によれば、リヤフックはブレードの回転動作から分離独立し、特にシングルフックであるため、ブレードの円滑且つ適正動作を保証すると共に、ライン等との絡みを有効に防止することができる。
【図面の簡単な説明】
【００１３】
【図１】本発明の実施形態に係る釣り用ルアーの斜視図である。
【図２】本発明の釣り用ルアーに係るブレードの平面図、側面図、正面図及び斜視図である。
【図３】本発明の実施形態に係る釣り用ルアーのブレード動作等を説明する側面図及び後面図である。
【図４】比較例としてのルアーにおけるブレード動作等を説明する側面図及び後面図である。
【発明を実施するための形態】
【００１４】
以下、本発明による釣り用ルアーの好適な実施の形態について、添付図面に基づいて詳細に説明する。
図１は、この実施形態における釣り用ルアー１０の例を示している。図１において、１１はルアーボディであり、このルアーボディ１１は金属材料（典型的には鉛である）により小魚に似せた外観形態となるように形成されている。この場合、ルアーボディ１１はその形成材料である金属による中実構造を有する。ルアーボディ１１の形成材料として、鉛以外に例えばタングステンあるいはステンレス鋼等を選択可能であり、更に金属以外でも例えば合成樹脂成型品やウッド素材等の選択可能な材料を使用することができる。なお、ルアーボディ１１の表面処理としてはホログラム、塗装及びメッキを適宜組み合せて小魚に似せた外観が形成される。
【００１５】
また、１２はルアーボディ１１の先端部付近（頭部）に設けた糸環であり、この糸環１２に釣糸もしくはライン１３が結び付けられる。更に、１４及び１５はそれぞれフロントフック（釣針）及びリヤフックである。これらフロントフック１４及びリヤフック１５の取付方法については後述する。
【００１６】
ルアー１０のルアーボディ１１の後端部（尾部）に、回転可能に接続されたブレード１６が付設される。この場合、ブレード１６はその前端部にてルアーボディ１１の尾部に、メインスイベル１７を介して接続される。メインスイベル１７はその本体がルアーボディ１１に結合支持され、そのリング状の端部１７ａが該本体に対して回転自在である。メインスイベル１７の端部１７ａにはスプリットリング１８が接続し、このスプリットリング１８はブレード１６の前端部に設けた係合孔１６ａに係合する。これによりブレード１６はルアーボディ１１の後端部にて回転自在となる。
【００１７】
また、リヤフック１５はブレード１６に対して、サブスイベル１９を介して回転可能に接続する。この場合、サブスイベル１９の一端部１９ａがスプリットリング１８に接続され、その他端部１９ｂにはリヤフック１５が係着する。サブスイベル１９の一端部１９ａ及び他端部１９ｂはサブスイベル１９の本体に対して回転自在である。
このようにルアーボディ１１の尾部に結合するメインスイベル１７にスプリットリング１８が接続し、このスプリットリング１８に対してブレード１６及びサブスイベル１９がそれぞれ接続される。
【００１８】
フロントフック１４はルアーボディ１１の腹部側前部付近にて、スイベル２０を介して回転可能に接続される。スイベル２０はその本体がルアーボディ１１に結合支持され、そのリング状の端部２０ａが該本体に対して回転自在である。スイベル２０の端部２０ａにはスプリットリング２１が接続し、このスプリットリング２１にフロントフック１４が係着する。フロントフック１４はルアーボディ１１の前部付近にて回転自在となる。
【００１９】
ここで、フロントフック１４は針先がその針軸から３つに分岐してなる、所謂トリプルフックである。また、リヤフック１５は単一の針先を持つシングルフックである。この場合、リヤフック１５及びブレード１６をルアーボディ１１の長手方向に沿って揃えた際、ブレード１６の先端（後端）とリヤフック１５の内周面との間にできるクリアランスＣが２ｍｍ程度に設定される。
【００２０】
また、ブレード１６は板厚０．５ｍｍ程度のステンレル鋼板を材料として、図２（ａ）〜（ｄ）に示すように木の葉状等（特には図２（ａ）の平面視）に形成される。ブレード１６は単純な平面形状でなく、即ち僅かに一方の面側に凸状に湾曲し、その前端部には前述の係合孔１６ａが開設されている。
【００２１】
上記のように構成された本発明の釣り用ルアー１０において、次にその作用効果等について説明する。キャスティングされたルアー１０は着水後、ライン１３を引くことで（リトリーブ）、適度な前傾姿勢等をとって水中を遊泳する。その場合、ライン１３の引き加減等を調節することで、ルアー１０が所望のルアーアクションをとるように制御することができる。
【００２２】
ルアー１０の遊泳中、ブレード１６は水流抵抗を受けて回転する。この場合、ブレード１６はルアーボディ１１の後端部にてメインスイベル１７を介して回転自在であり、即ちルアーボディ１１から受ける拘束の度合いが小さく、動作の自由度は大きい。また、後述するようにリヤフック１５との間で動作上分離していることと相俟って、図３（ａ）のようにブレード１６は回転角の小さいローリングするような動作となり、その回転動作の回転半径もしくは直径Ｄが大きく広がらず、むしろ比較的小さくなる。これにより集魚効果が向上し、つまり大型魚に対するアピール力が大きいフラッシング効果が格段に高まる。
【００２３】
従来ルアーでは例えば図４（ａ），（ｂ）に示されるようにブレード１６′は、その前端部の１点を回転軸とする回転であるため、その回転動作の回転角が大きく、回転半径もしくは直径Ｄが大きくならざるを得なかった。そのため従来ルアーのブレード１６′ではそのままではフラッシング効果を期待するのが難しい。
【００２４】
また、上述したようにリヤフック１５はその前方のサブスイベル１９を介して、スプリットリング１８に回転可能に接続される。スプリットリング１８にはブレード１６も接続されるが、リヤフック１５の前方にサブスイベル１９を設けていることで、リヤフック１５はブレード１６の回転動作から分離独立している。このためリヤフック１５はブレード１６が回転する際の回転抵抗とならず、これによりブレード１６の円滑動作を保証する。また、ブレード１６は回転角が上述のように小さいため、ブレード１６の回転時にリヤフック１５がブレード１６によって大きく振り回されることがなく、リヤフック１５を安定させることができる。
【００２５】
一方、本発明とは異なり、例えばブレードの後方にスイベルを介することなくリヤフックを設ける場合、そのリヤフックはブレードの回転動作から分離していない。そのようなリヤフックはブレードの回転動作に強制的に引きずられて、ブレードの回転と略同一の回転数で回転し、ブレードに対する回転抵抗が著しく増加する。このようにブレードの回転抵抗が増加することでブレードの回転が阻害され、その回転が安定せず、この点でも釣果に影響する。
【００２６】
また、本発明とは異なり、例えばブレードの前方にフックを設けた場合、ブレードの回転に対してフックは抵抗とならないが、フックとルアー本体の間にスイベルが介在しないため、フックの回転方向に関する自由度が１８０°程度しかない。対象魚とのやり取り中に魚が暴れて１８０°以上回転しようとした場合、フックが抜ける方向に力がかかり、所謂バラシの原因となる。
これに対して本発明のルアー１０では、リヤフック１５の前方のサブスイベル１９を介在させることで、魚とのやり取り中にリヤフック１５が回転してもサブスイベル１９でその回転を吸収する。これによりリヤフック１５が抜ける方向に力がかかり難くなり、バラシを大幅に抑止することができる。
【００２７】
また、スプリットリング１８にはブレード１６及びサブスイベル１９がそれぞれ接続され、つまりリヤフック１５のシャンク部頂点とブレード１６の前端部が略一致する位置関係となり、それらのフロントフック１４及びライン１３との絡みを抑制する。この場合特に、リヤフック１５はシングルフックであるためライン１３等との絡みを有効に防止することができる。更に、図１に示したようにブレード１６とリヤフック１５との間にクリアランスＣがあるため、シングルフックであることに加えて、絡み防止効果により有効に寄与する。
【００２８】
仮にリヤフック１５にトリプルフックを使用すると、２つの針先の間にブレード１６が挟まり易くなり、ブレード１６の回転動作を妨げ、回転動作の立上がりを遅れさせることがある。このようにブレード１６が挟まらないまでも、トリプルフックの３つの針先や針軸にブレード１６が当接し易くなり、その接触抵抗のためにブレード１６の回転動作の立上がりを遅れさせる原因となる。リヤフック１５はシングルフックであるから、ブレード１６が挟まることがなく、その針先や針軸のブレード１６に対する接触抵抗が格段に小さいため、ブレード１６の回転動作の円滑且つ良好な立上がりを保証する。
【００２９】
なお、フロントフック１４は、ルアーボディ１１に対してスイベル２０を介して回転可能に接続される。フロントフック１４のルアーボディ１１に対する自由度が大きくなるため、ルアーアクションに与える影響を抑制することができる。
【００３０】
なお、本発明の好適な実施形態を説明したが、本発明は上述した実施形態にのみ限定されるものではなく、必要に応じて適宜変更等が可能である。
例えばフロントフック１４として針先が２つに分岐してなる、所謂ダブルフック、あるいは４つに分岐するもの等であってもよい。また、フロントフック１４はスイベル２０を用いずに、ルアーボディ１１に取り付けてもよく、更にフロントフック１４自体を使用しない形態でも本発明は実施可能であり、これらいずれの場合も本発明の範囲に含まれる。
また、リヤフック１５は２つ以上のシングルフックで構成することも可能であり、上述の実施形態にのみ限定されない。
【符号の説明】
【００３１】
１０  ルアー
１１  ルアーボディ
１２  糸環
１３  ライン
１４  フロントフック
１５  リヤフック
１６  ブレード
１７  メインスイベル
１８  スプリットリング
１９  サブスイベル
２０  スイベル
２１  スプリットリング
【図１】
2016021940.tif 000003
【図２】
2016021940.tif 000004
【図３】
2016021940.tif 000005
【図４】
2016021940.tif 000006